(57)【特許請求の範囲】
【請求項１】
建築構造物に支持される支持樋部と、前記建築構造物の外壁に固定されない状態で該支持樋部に少なくとも一方向への相対移動不能に支持又は連結される露出状樋部とを備えており、
前記露出状樋部は、筒状に形成される複数の竪樋構成部材を軸方向に連結して形成され、各竪樋構成部材は、
軸方向に隣接する竪樋構成部材に対し少なくとも一方向に相対移動不能に連結可能な連結部を上下端に備えると共に、流水の流路を包囲する筒部と、
該流路を露出させる窓部を有する露出部とを備え、
前記筒部には、前記流水の吐出口を複数の小吐出口に仕切る仕切り部材又は当該吐出口の上方から当該吐出口に向けて延在する複数の凸状部からなる仕切り部材が設けられていることを特徴とする竪樋。
【請求項２】
前記吐出口を複数の小吐出口に仕切る仕切り部材は、前記吐出口の中心部から外方に向けて放射状に延設されている複数枚のフィンであることを特徴とする請求項１に記載の竪樋。
【請求項３】
前記複数枚のフィンは、前記竪樋構成部材の筒部から着脱自在に形成されていることを特徴とする請求項２に記載の竪樋。
【請求項４】
前記竪樋構成部材の露出部には、前記筒部から延在するブリッジが帯状に形成され、該
帯状のブリッジが前記建築構造物の外壁に対向して設けられていることを特徴とする請求項１乃至請求項３のいずれかに記載の竪樋。
【請求項５】
前記露出状樋部は、前記支持樋部よりも前記建築構造物の外壁から離間させた状態で設
けられていることを特徴とする請求項１乃至請求項４の何れかに記載の竪樋。
【請求項６】
前記露出状樋部の下端部は、地面から突設される筒状の排水管カバーに挿入されている
ことを特徴とする請求項１乃至請求項５のいずれかに記載の竪樋。
【発明の詳細な説明】
【技術分野】
【０００１】
本発明は、竪樋に関するものである。
【背景技術】
【０００２】
一般に、雨水を流下させる直管状の竪樋は樋支持具を介して建物壁に沿わせて固定されるのであるが、樋支持具に手や足を掛けて竪樋を伝って登ることが可能であり、防犯上の問題が指摘されている。
【０００３】
また、雨水を流下させる樋としては、複数の鎖ピース部材を撓み自在に上下に連結させて軒先から吊り下げて配設される鎖樋も知られている（たとえば特許文献１参照）。この鎖樋は、雨水が鎖ピース部材を伝って流下する様を見て楽しむために設置されるものであって、鎖ピース部材を伝う雨水の流下を阻害しないよう建物壁に固定させないものであるから、上記直管状の竪樋のように樋を伝って登ることなどできず防犯面に優れるという利点を有する。しかしながら、建物壁に固定されない鎖樋は風に煽られると撓んで大きく振れてしまうため、建物壁にぶつかる恐れから、上記直管状の竪樋のように建物壁に沿設することは行われていないものであった。
【０００４】
また、鎖樋が人が通行する方向に振れたり建物の外壁に向けて振れたりすると、当該人や壁に接触する虞があり、危険であるばかりでなく騒音となってしまう問題もある。
【０００５】
【特許文献１】実開平５−７８２５号公報
【発明の開示】
【発明が解決しようとする課題】
【０００６】
本発明は上記の点に鑑みてなされたものであり、その目的とするところは、建物壁に沿設する竪樋に対して振れを抑制して鎖樋を適用することで、鎖樋の有する防犯上の利点を発揮させることのできる竪樋を提供することを課題とするものである。
【０００７】
また、本発明上記の点に鑑みてなされたものであり、その目的とするところは、風等により振れる（煽られる）場合であっても、すぐそばを通過する人や沿設されている外壁に接触することを防止することができる竪樋を提供することを課題とするものである。
【課題を解決するための手段】
【０００８】
上記課題を解決するために本発明に係る竪樋１にあっては、建物壁２に沿設された竪樋１の上部域を建物壁２に固定させた直管状樋部３で構成すると共に、該竪樋１の下部域を直管状樋部３から吊り下げた鎖樋部４で構成したことを特徴とする。これによると、竪樋１の下部域を構成した鎖樋部４は直管状樋部３のように建物壁２に固定しないものであるから、鎖樋部４を伝って登ることは容易にはできないのであって竪樋１の防犯性能を大幅に向上できる。なお、竪樋１の下部域のみを構成した建物壁２に固定しない鎖樋部４は、軒先から吊り下げて配設される鎖樋に比べてその長さは充分に短いものであり、風に煽られてもその振れ幅は小さくなるのであるから、建物壁２に鎖樋部４がぶつかる恐れは低減されている。このように、建物壁２に固定しない鎖樋部４の振れを抑制したことで、支障なく鎖樋部４を建物壁２に沿設する竪樋１に対して設けることができたのであり、建物壁２に固定しない鎖樋部４の登りにくいという防犯上の利点を、建物壁２に沿設する竪樋１に対して発揮できるのである。
【０００９】
また、筒状の直管状樋部３と略同一の外径寸法の円筒状に形成した複数の鎖ピース部材５の上下端部を互いに連結させて直管状に連続させて鎖樋部４を形成し、上記各筒状の鎖ピース部材５に内部を流下する雨水を見せる窓部６を設けたことを特徴とする。これによると、上部域を直管状樋部３で構成すると共に下部域を鎖樋部４で構成して成る竪樋１に、管が連続するような統一感のある良好な外観を現出できる。
【００１０】
また、筒状の鎖ピース部材５の上端に上部嵌め込み筒部７を設けると共に鎖ピース部材５の下端に下部嵌め込み筒部８を設け、上部嵌め込み筒部７と下部嵌め込み筒部８とを嵌合させて上下の鎖ピース部材５を連結したことを特徴とする。これによると、鎖ピース部材５同士を嵌合構造でほとんど動かないように連結でき、風に煽られた鎖樋部４の振れの抑制を向上できる。
【００１１】
また、建築構造物に支持される支持樋部と、前記建築構造物に非支持の状態で該支持樋部に少なくとも一方向への相対移動不能に支持又は連なると共に前記流路を露出させる露出部を有する露出状樋部とを備えていることを特徴としている。
【００１２】
これによれば、露出部を有する露出状樋部が支持樋部に上述の如く支持される又は該支持筒部に連なって形成されるため、露出状樋部が横風等により煽られる虞はなく、これによって該該露出状樋部が横風等に煽られてしまう虞は大幅に低減される。
【００１３】
また、これによれば、鎖樋の如く露出部を介して流水の流量や流速を視認することができる。さらに、豪雨時等、過剰な雨水等の流水が竪樋に流れ込む場合には、当該露出部を流水を竪樋の外方に排出することができる。この結果、豪雨時であっても竪樋を通じては所定量の流水が排水溝に流れることとなり、該排水溝に処理能力をこえる流水の流入を防止することができる。この結果、排水溝からの流水の逆流を防止することができる。
【００１４】
また、前記露出状樋部は、筒状に形成される複数の竪樋構成部材を軸方向に連結して形成され、各竪樋構成部材は、軸方向に隣接する竪樋構成部材に対し少なくとも一方向に相対移動不能に連結可能な連結部を上下端に備えると共に、これら上下連結部の間に、流水の流路を包囲する筒部と、該流路を露出させて流水を外観可能な露出部とを備えているが好ましい。
【００１５】
これにより、竪樋構成部材は、当該一方向への相対移動を不能とされた状態で互いに連結されることとなる。当該一方向への竪樋の振れが防止され、当該一方向の先に存する人や物への竪樋の接触が防止されるのである。
【００１６】
また、前記露出状樋部は、前記支持樋部よりも前記建築構造物の外壁から離間させた状態で設けられていることが好ましい。
【００１７】
これにより、露出部から流水が溢れたり水はねが生じたりする場合であっても、これらが外壁に到達することを抑制することができ、これら流水や水はねに起因する外壁の汚れを低減することができる。
【００１８】
また、前記竪樋構成部材の筒部には、露出部に向けて開口される吐出口が設けられ、該吐出口には、当該吐出口を複数の小吐出口に仕切る仕切り部材が設けられていることが好ましい。
【００１９】
上記構成においては、吐出口の周縁のみならず、小吐出口を形成する仕切り部材との関係においても流水には表面張力が付与されることとなる。これによって、流水の流速が遅い場合や流量が少ない場合であっても当該仕切り部材との関係において生じる表面張力に従って各小吐出口の外縁からも流水が流下することとなり、吐出口全体としては当該吐出口の外縁のみならず、各小吐出口の外縁を形成することとなる中央部等、当該吐出口の外縁よりもより内側から流水を流下させることが可能となる。この結果、当該吐出口の外縁の表面張力にのみ引かれて当該吐出口の外縁よりも外方に飛散する流水の量を減少させ、露出部から竪樋構成部材の外方に向けての流水の水はねを大幅に抑制することが可能となる。
【００２０】
また、前記仕切り部材は、前記吐出口の中心部から外方に向けて放射状に延設される複数のフィンから構成されることが好ましい。
【００２１】
これによって、流水は複数のフィンの間から流下することとなり、吐出口に仕切り部材を設けることによる当該吐出口の流水処理力を低下させることを可及的防止しつつ、当該流水の吐出口外方への水はねを防止することができる。
【００２２】
また、前記仕切り部材は、前記竪樋構成部材の筒部から着脱自在に形成されていることが好ましい。
【００２３】
これによって、筒部から仕切り部材を取り外して当該筒部及び仕切り部材をそれぞれ清掃することができ、清掃の簡便化が図られる。また、仕切り部材を竪樋構成部材の筒部に後付け可能となり、これら筒部と仕切り部材とを一体に形成する場合よりも製造の簡略化が図られる。
【発明の効果】
【００２４】
本発明にあっては、建物壁に沿設する竪樋に対して振れを抑制した鎖樋部を設けることができ、鎖樋部による防犯上の利点を竪樋に発揮させることができる、という利点を有する。
【００２５】
また、本発明にあっては、風等により振れる（煽られる）場合であっても、すぐそばを通過する人や沿設されている外壁に接触することを防止することができる、といった利点を有する。
【発明を実施するための最良の形態】
【００２６】
以下、本発明を添付図面に示す実施形態に基いて説明する。
【００２７】
本例の竪樋１は、図１（ａ）のように建物壁２に沿設されており、その上部域が樋支持具１７を介して建物壁２に固定させた直管状樋部３で構成されると共に、下部域が直管状樋部３から吊り下げた鎖樋部４で構成されている。
【００２８】
鎖樋部４は、一般の鎖樋と同様に複数の鎖ピース部材５を上下に連結させて吊り支持されたものであり、つまり直管状樋部３のように建物壁２に固定しないものであるから、鎖樋部４を伝って登ることは容易にはできないといった防犯上の利点を有する。ここで、竪樋１の下部域のみを構成した建物壁２に固定しない鎖樋部４は、軒先から吊り下げて配設される鎖樋に比べてその長さは充分に短いものであり、風に煽られてもその振れ幅は小さくなるのであるから、建物壁２に鎖樋部４がぶつかる恐れは低減されている。
【００２９】
すなわち、竪樋１の下部域のみを鎖樋部４で構成させたことで建物壁２に固定しない鎖樋部４の振れを抑制できたのであるから、支障なく鎖樋部４を建物壁２に沿設する竪樋１に対して設けることができたものであり、その結果、建物壁２に固定しない鎖樋部４における登りにくいという防犯上の利点が、建物壁２に沿設する竪樋１に対して発揮されることとなっている。なお、竪樋１の防犯性能を向上させるため、鎖樋部４が一定の荷重により破断されるようにすることも好ましい。たとえば後述の荷重の集中し易い立リブ部１３や鎖ピース部材５同士の連結構造や鎖樋部４の連結継手１５への連結構造などを耐荷重性を考慮して設計することで、容易に対応することができる。
【００３０】
鎖樋部４を構成する鎖ピース部材５は、図２のように、上下に開口せる円筒状に形成されている。なお、本例の円筒状の鎖ピース部材５の外径寸法は円筒状の直管状樋部３の外径寸法と略同様に形成されている。しかして、上部域を直管状樋部３で構成すると共に下部域を鎖樋部４で構成して成る本例の竪樋１には、図１（ａ）のように、円管が連続するような統一感のある良好な外観が現出されることとなっている。
【００３１】
この円筒状の鎖ピース部材５にあってその上端部は上部嵌め込み筒部７を構成している。また、鎖ピース部材５の下端部には、下方の鎖ピース部材５の上部嵌め込み筒部７に嵌合させて上下の鎖ピース部材５を直管状に連結させるための下部嵌め込み筒部８が設けられている。この下部嵌め込み筒部８は、鎖ピース部材５の内部を流下する雨水の外方への漏れを防止するべく上部嵌め込み筒部７に内嵌めするために、その外径が上部嵌め込み筒部７の内径と略同様になるように径を小さくした小径部にされている。すなわち、本例の鎖樋部４は、鎖ピース部材５同士をその上部嵌め込み筒部７と下部嵌め込み筒部８との嵌合構造でほとんど動かないように連結させて形成されているから、風に煽られた鎖樋部４の振れの抑制効果が向上されている。
【００３２】
ここで、下方の鎖ピース部材５は上方の鎖ピース部材５に吊り支持されるのであるから、上部嵌め込み筒部７と下部嵌め込み筒部８との間には抜け落ち防止構造が設けられている。抜け落ち防止構造として本例では係止構造が採用されている。つまり、下部嵌め込み筒部８の外面には外部に弾性的に突出した係止爪部９が形成されており、上部嵌め込み筒部７の内面には上端から至る導入溝１０が凹設されると共にその下端に更に深く凹設された係止凹部１１が形成されている。本例では、係止爪部９や、導入溝１０及び係止凹部１１は各嵌め込み筒部７，８における周方向の等間隔に複数個所（４箇所）設けられている。しかして、上部嵌め込み筒部７の内部に下部嵌め込み筒部８を挿入した際には、図１（ｂ）のように、係止爪部９が導入溝１０に沿うようにガイドされて係止凹部１１に引っ掛け係止されることで、上部嵌め込み筒部７と下部嵌め込み筒部８とが強固に嵌合され、下方の鎖ピース部材５が上方の鎖ピース部材５から抜け落ちないように着脱自在に吊り支持されるようになっている。鎖ピース部材５が着脱自在に連結されたことによると、鎖樋部４のメンテナンス時などに鎖ピース部材５を取外すことができて便利である。
【００３３】
なお、抜け落ち防止構造としては、図３の鎖ピース部材５のようにねじ締結構造を採用してもよい。この例の鎖ピース部材５は、上部嵌め込み筒部７と下部嵌め込み筒部８とにねじ部１２を刻設し、各ねじ部１２同士を締結させて上下の鎖ピース部材５を着脱自在に連結したものである。詳しくは、上部嵌め込み筒部７のねじ部１２は内面に刻設した雌ねじ部１２ａであり、下部嵌め込み筒部８のねじ部１２は外面に刻設した雄ねじ部１２ｂである。これによっても、下方の鎖ピース部材５が上方の鎖ピース部材５から抜け落ちないように着脱自在に吊り支持させることができるのであり、また鎖ピース部材５が着脱自在に連結されたことによるメンテナンスの利便性を備えることができる。
【００３４】
また、円筒状の鎖ピース部材５は、その内部を雨水が流下していくのであるが、一般の鎖樋のように雨水の流下する様を外方より見て楽しませるための窓部６が備えられている。この窓部６は、鎖ピース部材５の下部嵌め込み筒部８に隣接した上位置に設けられており、周方向に等間隔に４本の立リブ部１３を残して筒側面に開設した開口６ａによって構成されている。ここで、鎖ピース部材５の内部における窓部６に隣接した上位置には、内部を流れる雨水を集めて流下させるための絞り部１４が鎖ピース部材５の内部に設けられている。この絞り部１４は鎖ピース部材５の筒側面から内径を絞るように内方に突出形成された絞り筒部にて構成されており、この絞り筒部は円筒状の鎖ピース部材５の筒側面５ａにてその外方が覆われていて鎖樋部４の外観には現出しないようにされている。なお、立リブ部１３は上記絞り筒部の外方を覆う円筒状の鎖ピース部材５の筒側面５ａから下方に垂設されている。これによると、窓部６から見える雨水は絞り部１４によって円筒状の鎖ピース部材５の中央部分を流下するようになるのであり、この雨水が鎖ピース部材５の内部から窓部６を通って外方に飛散するという恐れを回避できたものである。
【００３５】
上記構成の鎖樋部４は、直管状樋部３に吊り下げ支持されるのであるが、直管状樋部３への取り付けは円筒状の連結継手１５を介して行われている。円筒状の連結継手１５はその上端部に上部嵌込筒部（図示せず）が設けられ、この上部嵌込筒部を直管状樋部３の下端に嵌合することで直管状樋部３の下側に取り付けられている。本例では略同径の直管状樋部３と鎖樋部４による外観の連続性を現出するために、連結継手１５の上部嵌込筒部は直管状樋部３の下端に内嵌めされ、パッキン等の防水処理を施すと共に接着剤にて接着されている。なお、鎖樋部４の構成長さに応じて直管状樋部３の下端の地面からの高さ位置は異なるのであって、これは直管状樋部３を任意長さ位置で切断することで対応されるのであるが、直管状樋部３の切断面は任意の長さ位置にかかわらず一定の円筒形状であるから、上部嵌込筒部は任意の長さの直管状樋部３の下端にも確実に嵌合させることが可能である。
【００３６】
また、円筒状の連結継手１５の下端部には鎖樋部４の上端を取り付ける鎖樋取付部（図示せず）が設けられている。本例の鎖樋取付部は円筒状に形成されて、鎖樋部４の最上位置の鎖ピース部材５の上部嵌め込み筒部７に内嵌めされて連結可能にされており、このようにして連結継手１５の下側に鎖樋部４が取り付けされている。なお、鎖樋部４は連結継手１５に吊り支持されるから、連結継手１５の鎖樋取付部と鎖樋部４の上端部との間には抜け落ち防止手段が設けられている。この抜け落ち防止手段は先の鎖ピース部材５間の抜け落ち防止構造を援用する構造が採用される。つまり、本例の抜け落ち防止手段には係止構造が採用されている。すなわち本例では、鎖樋部４の上端部を構成する鎖ピース部材５の上部嵌め込み筒部７には導入溝１０及び係止凹部１１が設けられているが、連結継手１５の鎖樋取付部には導入溝１０を経て係止凹部１１に係止される継手用係止爪部（図示せず）が設けられている。なお、図３の鎖ピース部材５を連結継手１５に吊り支持させる場合には、その鎖樋取付部には鎖ピース部材５の雌ねじ部１２ａに結合する雄ねじ部（図示せず）が設けられて抜け落ち防止手段にねじ締結構造が採用されるのである。このように鎖樋部４と連結継手１５との連結構造（抜け落ち防止手段）に、鎖樋部４を構成する鎖ピース部材５間の連結構造（抜け落ち防止構造）を援用させることで、部材の兼用を図ることができて構成の簡略化を図ることができる。
【００３７】
また、図１（ａ）のように、本例の竪樋１の下端は地面から突設された排水管（図示せず）に被設された筒状の排水管カバー１６に挿入してあり、つまり、本例の竪樋１は排水管に接続されて竪樋１を流下した雨水が排水管に滞りなく排水可能にされていて、竪樋１の近傍の地面が流下した雨水で溢れてしまうことの回避が図られている。本例の竪樋１はその下部域が鎖樋部４で構成されており、吊り支持された鎖樋部４の下端が排水管に接続されているので、固定されないまでも排水管や排水管カバー１６によって鎖樋部４の下端を規制して鎖樋部４の振れの抑制効果の向上が図られている。無論、排水管カバー１６を排水管に接着剤などで固着させると、鎖樋部４の振れの抑制効果の更なる向上を図ることができる。
【００３８】
ここで、下部域を鎖樋部４で構成した竪樋１の下端を排水管に接続させる構造として、排水管に下部を挿入した筒状の排水管カバー１６を設置し、鎖樋部４の下端部を排水管カバー１６の上部に嵌合させると共に、この嵌合深さを調節して排水管カバー１６の上部と鎖樋部４の下端部を取り付けるようにしてもよい。すなわち、鎖樋部４の下端部は最下位置の鎖ピース部材５の下部嵌め込み筒部８で構成されるのであり、この下部嵌め込み筒部８を排水管カバー１６の上部に取付手段によって嵌合深さを調節して取り付けるのである。嵌合深さを調節する取付手段としては、部材の兼用による構成の簡略化を図って、鎖樋部４を構成する鎖ピース部材５間の連結構造（抜け落ち防止構造）を援用させることができる。たとえば、図３の鎖ピース部材５で鎖樋部４が構成された場合には、排水管カバー１６の上部に鎖ピース部材５の雄ねじ部１２ｂに結合する雌ねじ部（図示せず）を設けて取付手段にねじ締結構造を採用することができる。吊り支持された鎖樋部４の下端を排水管カバー１６に取り付ける場合には鎖樋部４を撓ませないように行う必要があるが、嵌合深さを調節する取付手段を介してこれを行わせることで、鎖樋部４を排水管への接続を撓みなく且つ収まり良く行わせることが可能になるのである。
【００３９】
《第２の実施形態》
また、図４〜図１２は、本発明に係る竪樋の第２の実施形態を示している。
【００４０】
図４に示すように、本実施形態の竪樋２１は、複数の樋支持具３７を介して建築構造物の外壁２２に支持される直管状の支持樋部２３と、該外壁２２に非支持の状態であって且つ流路を露出させて該流路を流れる雨水や雪解け水等の流水（以下、雨水又は雨水等という。）の流れを外観可能な複数の露出部２６を有する露出状樋部２４とを備えている。
【００４１】
支持樋部２３は、所定の口径を有する長尺な円筒状に形成された直管状樋部２３ａと、該直管状樋部２３ａの下端部に連結されるエルボ部２３ｂとを備えている。
【００４２】
エルボ部２３ｂは、当該直管状樋部２３ａと同径の円筒状に形成される胴部２３ｂ１を備えると共に、該胴部２３ｂ１の両端部に当該胴部２３ｂ１と同径の円筒を屈曲して形成される屈曲端部２３ｂ２をそれぞれ備えている。
【００４３】
また、エルボ部２３ｂは、上方に開口部を向けた一方の屈曲端部２３ｂ２によりも下方に開口部を向けた他方の屈曲端部２３ｂ２を外壁２２から離間させた状態で支持具３７を介して該外壁２２に止め付けられている。そして、該一方の端部に支持樋部２３の下端部が取り付けられると共に、他方の端部に露出状樋部２４の上端部が取り付けられている。これにより、支持樋部２３は外壁２２に近接した状態に配備されると共に、露出部２６を有する露出状樋部２４は支持樋部２３よりも外壁２２から離間した状態に配備される。この結果、露出状樋部２４と外壁２２との間に所定の間隔が生じ、これによって露出状樋部２４の露出部２６から流水が溢れる場合であっても当該溢れた水が外壁２２に付着することは抑制される。
【００４４】
また、当該露出状樋部２４の下方に位置する地盤には、露出状樋部２４に連結されて該竪樋２１を流下してくる雨水等を一時的に貯留しておくための桝３８が埋設されている。ここで、露出状樋部２４が建築構造物の外壁２２から離間した位置に配備されるため、該露出状樋部２４に連結される桝３８も当該建築構造物の基礎から離間して配備される。このため、当該基礎と桝３８を埋設する位置とがオーバラップし合う問題が解消されている。
【００４５】
露出状樋部２４は、筒状に形成される複数の竪樋構成部材２５を上下に同軸上に連結して直管状に形成されている。また、該露出状樋部２４は、下端部を排水管カバー３６に収容した状態で上端部がエルボ部２３ｂに吊り支持されており、いずれの部位も建築構造物に非支持となっている。
【００４６】
該露出状樋部２４を構成する各竪樋構成部材２５は、図５、６に示すように、軸方向に開口する円筒状に形成されており、上端に形成される上連結部２７と下端に形成される下連結部２８とをそれぞれ有すると共に、これら上下連結部２７、２８の間に流路を包囲する筒部２９と流路を露出させる露出部２６とを備えている。
【００４７】
上下連結部２７、２８は、互いに上下方向に隣り合う竪樋構成部材２５にあって、上側の竪樋構成部材２５の下連結部２８に下側の竪樋構成部材２５の上連結部２７を連結可能に形成されており、これによってこれら上下一対の竪樋構成部材２５は同軸上に連結するものとなる。
【００４８】
上連結部２７は、雨水等の流路を径方向に包囲する環状に形成された環状部２７ａの内周面に雌ねじ部２７ｂを螺刻して形成されている。
【００４９】
また、下連結部２８は、雨水の流路を径方向に包囲する環状に形成された下環状部２８ａを備えている。該下環状部２８ａは、上環状部２７ａよりも縮径して形成されており、該下環状部２８ａの外周面には雌ねじ部２８ｂが螺刻されている。
【００５０】
そして、上連結部２７の内部に下連結部２８を挿入する際には、これら上下の位置関係となる竪樋構成部材２５のいずれか一方を一方の軸周りに又は互いの竪樋構成部材２５をそれぞれ異なる方向に軸周りに回転させながら行う。これにより、図７に示すように、上連結部２７の雌ねじ部２７ｂに下連結部２８の雄ねじ部２８ｂが螺嵌され、下側の竪樋構成部材２５が上側の竪樋構成部材２５からの抜け落ちを防止された状態で該上側の竪樋構成部材２５に着脱自在に吊り支持される。
【００５１】
この様に、本実施形態においては、ねじ締結構造により下側の竪樋構成部材２５は上側の竪樋構成部材２５に吊り支持され、これによってこれら上下の竪樋構成部材２５が互いに相対移動不能として連結されるばかりでなく、下側の竪樋構成部材２５の上側の竪樋構成部材２５からの抜け落ちが防止されている。
【００５２】
また、上下の連結部２７、２８は雨水の流路を径方向に包囲した状態に設けられているので、これら上下の連結部２７、２８によって雨水の流れが阻害される虞はない。
【００５３】
また、かかるねじ締結構造の如く各竪樋構成部材２５を着脱自在に連結した構成とすると、露出状樋部２４のメンテナンス時等に取替えを要する竪樋構成部材２５のみを取外すことができて便利である。
【００５４】
また、下連結部２８は、外径を上連結部２７の内径と略同様の大きさに形成されているため、該下連結部２８が上連結部２７に内嵌され、これによって筒部２９の内周面に沿って流下する雨水の外方への漏れを防止される。もっとも、下連結部２８に雌ねじ部を形成すると共に上連結部２７に雄ねじ部を形成し、上側の竪樋構成部材２５に下側の竪樋構成部材２５を螺嵌する構成とすることも可能である。
【００５５】
また、抜け落ち防止構造としては、図８に示すように、係止構造も採用可能である。
【００５６】
該係止構造においては、下環状部２８ａの外周面の複数位置（本実施形態においては、４位置）に、係止爪部２８ｃが形成されている。各係止爪部２８ｃは、下環状部２８ａを一対のスリットにより切り欠くことによりこれら一対のスリットの間に形成されている。これにより、該係止爪部２８ｃは、先端部を竪樋構成部材２５の軸心に対し径内方向に押圧して僅かに変位させたとしても、弾性復帰力によりもとの形状に復帰する。
【００５７】
また、上環状部２７ａの内周面の複数位置（本実施形態においては４位置）に、竪樋構成部材５の上部開口縁から下方に向けて下連結部２８の係止爪部２８ｃと同一又は僅かに大きな幅を有して該係止爪部２８ｃを案内可能な導入溝２７ｃが凹設されると共に、該導入溝２７ｃの下端には、上連結部２７の外周面に向けて前記導入溝２７ｃよりも深く凹設された係止凹部２７ｄが形成されている。
【００５８】
これにより、上連結部２７の内部に下連結部２８を挿入した際には、図９に示すように、係止爪部２８ｃが導入溝２７ｃにガイドされ、該係止爪部２８ｃの先端が係止凹部２７ｄに引掛け係止されることで、上連結部２７に下連結部２８が嵌合され、下側の竪樋構成部材２５が上側の竪樋構成部材２５からの脱落を防止しつつ当該上側の竪樋構成部材２５に着脱自在に吊り支持される。
【００５９】
また、図４に示すように、該露出状樋部２４の最上端の竪樋構成部材２５の上連結部２７は、支持樋部２３のエルボ部２３ｂの下側の開口部に上述の如き構成により螺嵌や係止等され、最下端の竪樋構成部材２５の下端部は地中桝３８に突設されている排水カバー３６に収容されている。このため、露出状樋部２４の上端部が支持樋部２３に対し相対移動不能とされると共に、下端部も排水カバー３６に対し相対移動不能とされている。したがって、露出状樋部２４は建築構造物の外壁２２に非支持であると雖も、横風等の外力によっても僅かに撓むに過ぎず、大きく撓む等して外壁２２に衝突したり側方の通路にまではらむ虞はない。
【００６０】
図６に示すように、筒部２９は、上連結部２７側に流水を流入する流入口３０を有すると共に下連結部２８側に流水を吐出する吐出口３１を有し、該流入口３０から吐出口３１に向けてすりばち状（無底のカップ状）に形成されている。また、流入口３０の口径は上連結部２７の上環状部２７ａの口径と同一であり、吐出口３１の口径は下連結部２８の下環状部２８ａの口径と同一又は僅かに縮径されて形成されている。これにより、流入口３０に比して吐出口３１は縮径して狭く形成されている。
【００６１】
また、該筒部２９の内周には、流入口３０と吐出口３１の中途部となる位置から吐出口３０に向けて中心軸の径内方向に隆起する傾斜壁３２が設けられている。また、該傾斜壁３２の下端から吐出口３１に向けて絞り筒部３４が形成されている。傾斜壁３２の内周面により、筒部２９の外周壁よりも流入口３０から吐出口３１に向けての傾斜角度を急とするテーパ面３２ａが形成されている。
【００６２】
当該テーパ面３２ａにより、筒部２９内での雨水の流れは規制されるものとなる。筒部２９内では、雨水は地球の自転の影響により渦を巻きながら絞り筒部３４下方の吐出口３１から吐出されることとなるが、当該テーパ面３２ａ及び絞り筒部３４はこの様な雨水の流れを助長する。したがって、吐出口３１から排出される雨水の流れは直進性を保った状態で露出部２６を通過することとなり、露出部２６から径外方向に向けての雨水の飛散は大幅に抑制されることとなるのである。
【００６３】
また、上述の如く傾斜壁３２が隆起することにより、該傾斜壁３２の外周面（テーパ面と反対側となる面）及び絞り筒部３４の外周面と筒部２９の内周面との間に空間Ｓが設けられ、絞り筒部３４の最下端が筒部２９の内周壁から離間している。かかる構成により、絞り筒部３４の最下端に到達した雨水が当該最下端から滴ることとなり、当該雨水の傾斜壁３２の外周面に向けての回り込みは抑制され、これによって傾斜壁３２から吐出口３１に向けて流れる流水の水切り性能の向上が図られている。
【００６４】
また、当該水切り効果をさらに向上させるべく、絞り筒部３４の内周面の最下端に筒部２９の上端縁側から下端縁側に向けて下り形状となる傾斜面３４ａを突設することは好ましい（図８参照）。
【００６５】
図６又は図８に示すように、露出部２６は、流下する雨水の流路を露出させて当該流路を流れ落ちてくる雨水を外観可能とする。当該露出部２６は、筒部２９と下連結部２８との間に設けられており、該筒部２９と下連結部２８とを連結する複数本（本実施形態においては３本）のブリッジ３３を備えると共に、該ブリッジ３３の側縁と筒部２９の（吐出口３１の）下端縁及び下連結部２８の上端縁により輪郭形成される露出窓２６ａを備えている。
【００６６】
各ブリッジ３３は、互いの間隔を等間隔として設けられると共に、三角柱状に形成されて筒部２９の外周面の中途部から下連結部２８に向けて延設されている。即ち、各ブリッジ３３は筒部２９の中心軸を中心とする円の円周状にて１２０°毎に設けられており、これによって、当該中心軸の径方向に作用する外力に対し等方性をもって抵抗力を発揮する。
【００６７】
また、これらブリッジ３３を介して筒部２９に下連結部２８が連結されることとなるが、当該下連結部２８の上連結部２７に対する固定度は大きく、筒部２９に対し下連結部２８は相対移動不能に連結されることとなり、ひいては、下連結部２８を有する竪樋構成部材２５と当該下連結部２８を介して連結される下側の竪樋構成部材２５とが相対移動不能に連結される。また、上下に竪樋構成部材２５を連結すると、各竪樋構成部材２５のブリッジ３３はそれぞれ直線状に並ぶ（図７参照）。
【００６８】
本実施形態によれば、上下の竪樋構成部材２５を連結して形成される露出状樋部２４は、様々な方向から吹く横風に対しても十分に抵抗し、容易に煽られる虞はない。したがって、図４に示す如く建築構造物の外壁２２に沿設する場合であっても、外壁２２に衝突する虞はない。また、露出部２６を通じて竪樋２１を流下する雨水の流れを外観することができ、当該建築構造物の屋根に降りかかる雨水の降水量を実態的に把握することができる。
【００６９】
また、露出部２６の露出窓２６ａを通じて筒部２９内に手を挿し入れることができるので、各筒部２９に溜まって雨水の流れを阻害するごみを容易に除去することができるばかりでなく、筒部２９内面の清掃を容易に行うことができる。
【００７０】
また、本実施形態によれば、図４や図７に示す如く、上下の竪樋構成部材２５を連結すると、上側の竪樋構成部材２５の露出部２６が下側の竪樋構成部材２５の筒部２９の上方に位置する。また、筒部２９の吐出口３１は流入口３０よりも狭い。このため、竪樋３１を流下する雨水の流量が過剰な場合、当該下側の筒部２９には雨水が溜まり、当該溜まった水はやがて上側の竪樋構成部材２５の露出部２６の露出窓２６ａから溢れ出る（オーバーフロー）。そして、当該オーバーフローした雨水によって各筒部２９の外周面やブリッジ３３に付着している汚れは洗い流されることとなるのである。この結果、各竪樋構成部材２５はこまめに清掃を行わなくても外観が清浄に保たれ、竪樋２１の清掃頻度を下げることが可能となる。
【００７１】
また、本実施形態によれば、露出状樋部２４がエルボ部２３ｂに上述の如く相対移動不能に支持され、且つ露出状樋部２４を形成する各竪樋構成部材２５も互いに相対移動不能に連結されているため、露出状樋部２４が横風等により勢いよく煽られる虞はない。
【００７２】
また、本実施形態は、露出状樋部２４の露出部２６を介して鎖樋の如く竪樋２１により形成される流路を流下する雨水等の流量や流速を視認することができる。このとき、従来の鎖樋であれば流路の軸として鎖が存在するため、当該鎖に雨水等が衝突することにより大きな水はねを生じてしまう虞があったが、本実施形態においては筒部２９により流路が覆われ、流路上には流水の流れを阻害するものは存在しない構成であるので、これによって露出部２６から水が大きく跳ねることが防止されているのである。
【００７３】
さらに、豪雨時等、過剰な雨水等の流水が竪樋２１に流れ込む場合には、当該露出部２６を通じて流水を竪樋２１の外方に排出することができる。この結果、豪雨時であっても竪樋２１を通じては所定量の流水が地中の桝３８を介して排水溝に流れることとなり、該排水溝に処理能力をこえる流水の流入を防止することができる。この結果、排水溝に過剰な雨水が流入することがなく、該排水溝からの排水の逆流現象を防止することができる。
【００７４】
一方、露出部２６から竪樋２１外に溢れた雨水は地中桝３８周囲の地盤に吸収されることとなり、これによっても排水溝に流れ込む水量が抑えられる。
【００７５】
また、図１０は、上記竪樋構成部材２５からなる露出状樋部２４を有する竪樋２１の他の実施形態を示しており、該竪樋２１は、エルボ部２３ｂを介することにより直管状樋部２３ａよりも外壁２２に対し所定の間隔を有して露出状樋部２４が配備され、該露出状樋部２４に対向する位置に窓３９等が配備されている。これにより、当該窓３９に露出部２６を有する露出状樋部２４が面することとなり、該窓３９を有する部屋の室内にいる住人等が当該露出部２６を介して雨水等の流れを視認することができ、当該雨水等の流れを視認することによって雨量を実感することができると共に当該雨水等の流れを景色として取り入れることが可能となる。
【００７６】
なお、窓３９とは、図１０に示される公知の窓のみでなく、出窓や、公知の窓の上部に小庇や水切り、シャッターボックスを配備したものも含まれ、本実施形態においては、エルボ部２３ｂを介して露出状樋部２４を配備することにより、これら小庇等の外壁２２からの突出をかわして露出状樋部２４を配備することができるのである。
【００７７】
また、図１１は、上記竪樋構成部材２５からなる露出状樋部２４を有する竪樋２１の他の実施形態を示しており、該竪樋２１は、軒先に垂下される短尺の支持樋部２３ａと、該直菅状樋部２３ａに吊り下げ支持される露出状樋部２４とを備えて通路Ａに沿って配備されている。該露出状樋部２４は、互いに相対移動不能に連結された竪樋構成部材２５により形成されているので、中途部を複数箇所にわたって支持具等３７により支持することなく直立し、且つ、横風等によっても煽られる虞はない。
【００７８】
したがって、該実施形態においては、露出状樋部２４が通路方向に向けて振られることはなく、該通路Ａを通過する人Ｐの通行を阻害する虞はない。
【００７９】
また、本実施形態においては、露出状樋部２４の横風等に対する抵抗力を向上させる観点から、図１２に示すように、上下の竪樋構成部材２５で６０°ずつ位相をずらして連結して露出状樋部２４を形成することも可能であり、当該構成であっても、上記実施形態と同様の効果を奏する。
【００８０】
なお、当該第２の実施形態は、上記第１の実施形態と実質的に同一であり、第１の実施形態の各部の名称及び符号と、第２実施形態の各部の名称と符号は次の通りに関連付けされている。即ち、第１実施形態の竪樋１は第２実施形態の竪樋２１、以下同様に、直管状樋部３は直管状樋部２３、鎖樋部４は露出状樋部２４、鎖ピース部材５は竪樋構成部材２５、上部嵌め込み部材７は上連結部２７、下部嵌め込み部材８は下連結部２８、窓部６は露出部２６、開口６ａは露出窓２６ａ、立リブ部１３はブリッジ３３、絞り部１４は傾斜壁３２及び絞り筒部３４として関連付けされている。
【００８１】
《第２の実施形態の第１変形例》
図１３〜図１４は、上記第２実施形態の竪樋２１に係る竪樋構成部材２５の第１の変形例であり、当該竪樋２１は、上連結部２７の直下に露出部２６が設けられており、該露出部２６と下連結部２８との間に筒部２９が設けられている。当該竪樋構成部材２５は、筒部２９と露出部２６とが入れ替わっている点、上連結部２７が雄ねじ部２７ｅとなると共に下連結部２８が雌ねじ部２８ｅとなっている点、筒部２９が円筒状に形成されている点及びブリッジ３３が帯状に形成されている点以外は上記第２実施形態と異なるところがないので、同じ符号を付してその説明を省略する。
【００８２】
当該変形例において、上連結部２７を雌ねじ部２７ｂとすると共に下連結部２８を雄ねじ部２８ｂとする場合であっても、当該変形例と同様の作用効果を奏する。また、上下連結部２７、２８として上述の如き係止構造２８ｃ、２７ｄを用いる場合であっても同様である。
【００８３】
《第２の実施形態の第２変形例》
また、図１５〜図１６は、上記第２実施形態の竪樋２１に係る竪樋構成部材２５の第２の変形例であり、当該竪樋２１においては、筒部２９が円筒状に形成されると共に、露出部２６のブリッジ３３が帯状に形成され、筒部２９の下端部（吐出口３１）から下連結部２８の間で延びている。また、筒部２９の内周面には傾斜壁がなく、面一の壁面を形成している。当該変形例においては、上記以外の構成は上記第２実施形態と異なるところがないので、同じ符号を付してその説明を省略する。
【００８４】
当該変形例においては、筒部２９の内周面とブリッジ３３の内面とが面一となり、当該竪樋構成部材２５を流れる雨水の流量が少ない場合等は雨水はこれら筒部２９の内周面からブリッジ３３の内面を伝って流下することとなり、速やかに排水される。また、露出部２６の露出窓２６ａの上端縁から雨水が滴る様を外観することができ、これによって降水量の把握や、竪樋２１のつまりの有無を把握することができる。
【００８５】
なお、当該変形例において、筒部２９の内面に傾斜壁（３２）及び絞り筒部（３４）を設ける構成を採用することも可能である。
【００８６】
《第２の実施形態の第３変形例》
また、図１７〜図１８は、上記第２実施形態の竪樋２１に係る竪樋構成部材２５の第３の変形例であり、当該竪樋２１においては、筒部２９が断面四角形の角筒状に形成されると共に露出部２６のブリッジ３３が断面コ字状に形成されている。また、当該竪樋構成部材２５の上連結部２７は、筒部２９の上端縁から下方に向けて所定の深さまで当該筒部２９の壁を内周側から外周側に向けて僅かに薄肉化して段状に形成されている。これに伴って、下連結部２８は四角筒状にのみ形成されている。これにより、該下連結部２８は、その外周面を上連結部２７の内周面に当接させた状態で当該上連結部２７に嵌合することとなる。これら上連結部２７と下連結部２８の当接面に接着剤等を介在させることにより、これら上連結部２７と下連結部２８とは連結されることとなるのである。もちろん、上連結部２７の内周面に下連結部２８の外周面が密着した状態でこれら上下連結部２７、２８が連結される場合には、接着剤を必要としない場合もある。
【００８７】
当該実施形態においては、その構成においては上記第２実施形態と異なるところがないので、同じ符号を付してその説明を省略する。
【００８８】
なお、当該実施形態においては、上下連結部２７、２８のいずれか一方の内面のみを円周状として雌ねじ部を形成すると共に他方の外面のみを円周状として雄ねじ部に形成し、これによってねじ締結構造とすることも可能であり、下連結部２８に係止爪部を形成すると共に上連結部２７に導入溝及び係止凹部を形成することにより、上下連結部２７、２８として係止構造を採用することも可能である。
【００８９】
本変形例の竪樋構成部材２５を連ねて形成される露出状樋部２４においては、当該コ字状のブリッジ３３を建築構造物の外壁２２に対向させた状態で配備することにより、露出部２６から飛散する雨水の当該外壁への飛散が大幅に抑制され、これによって竪樋２１まわりの外壁２２の清掃の頻度が低減されるものとなる。
【００９０】
《第２の実施形態の第４変形例》
また、図１９〜図２０は当該変形例から派生した実施形態（第４の変形例）を示しており、当該実施形態は、筒部２９の吐出口３１の四隅のそれぞれから断面アングル状のブリッジ３３を下連結部２８に向けて延設し、隣り合うブリッジ３３の側縁、吐出口３１の開口縁及び下連結部２８の上端縁により露出窓２６ａを形成することによって露出部２６を構成している。他の構成においては上記第２実施形態と異なるところがないので、同じ符号を付してその説明を省略する。
【００９１】
《第２の実施形態の第５変形例》
さらに、図２１〜図２２は当該変形例から派生した実施形態（第５の変形例）を示しており、当該実施形態は、筒部２９を円筒状に形成し、当該筒部２９の吐出口３１からブリッジ３３を一対の幅広の帯状、即ち円弧状に形成して下連結部２８まで延設し、当該ブリッジ３３の側縁、筒部２９の下端縁及び下連結部２８の上端縁により円弧状の露出窓２６ａを形成し、これによって露出部２６を構成している。他の構成においては上記第２実施形態と異なるところがないので、同じ符号を付してその説明を省略する。
【００９２】
《第２の実施形態の第６変形例》
図２３〜図２９は、上記第２実施形態の竪樋２１に係る竪樋構成部材２５の第６の変形例であり、当該竪樋構成部材２５の筒部には、吐出口に仕切り部材が設けられている。本変形例においては、仕切り部材が設けられている点以外は上記第２実施形態と異なるところがないので、同じ符号を付してその説明を省略する。
【００９３】
当該変形例において、仕切り部材３５ａは、筒部２９の吐出口３１を形成する絞り筒部３４に設けられており、該仕切り部材３５ａは、円筒状の絞り筒部３４を放射状に仕切る複数枚のフィン部を備えて形成されている。該フィン部は、絞り筒部３４の高さと同一の高さを有して形成されており、該絞り筒部３４に仕切り部材３５ａが設けられることにより、吐出口３１は、絞り筒部３４の縁部、仕切り部材３５ａのフィン部により包囲される複数の小吐出口に仕切られる。
【００９４】
図２４に示すように、吐出口３１に仕切り部材がない場合、流下する雨水の量が少ないとき、雨水は絞り筒部３４の縁部よりも径外方向に流水が飛散するという問題が生じる虞がある。しかし、図２５に示すように、吐出口３１に仕切り部材３５ａがある場合は、吐出口３１の周縁のみならず、仕切り部材３５ａとの関係においても流水には表面張力が付与されることとなる。これによって、流水の流速が遅い場合や流量が少ない場合であっても当該仕切り部材３５ａとの関係において生じる表面張力に従って流水が流下することとなり、吐出口３１全体としては当該吐出口３１の外縁のみならず、各小吐出口の外縁を形成することとなる中央部等、当該吐出口３１の外縁よりもより内側から流水を流下させることが可能となる。この結果、当該吐出口３１の外縁の表面張力にのみ引かれて当該吐出口３１の外縁よりも外方に飛散する流水の量を減少させ、露出部から竪樋構成部材２５の外方に向けての流水の水はねを大幅に抑制することが可能となる。
【００９５】
また、仕切り部材としては、図２６に示す構成も採用可能である。当該仕切り部材３５ｂは、絞り筒部３４に内嵌する環状壁と、当該環状壁から中央部に向けて突出する複数の凸状部とを備えている。
【００９６】
当該仕切り部材３５ｂにおいては、環状壁にはもちろん各凸状部との関係においても流水に対する表面張力が作用することとなり、これによって、絞り筒部３４の外縁のみならず当該外縁よりも内側に流水による表面張力が作用することとなり、当該表面張力に引かれて流水が流下することにより、上記仕切り部材３５ａと同様、絞り筒部３４の径外方向に向けての流水の飛散が抑制されることとなるのである。
【００９７】
表面張力を吐出口３１の中央部に作用させることにより、絞り筒部３４の径外方向に向けての流水の飛散抑制を図る点に鑑みると、図２７に示す如く、絞り筒部３４による吐出口３１を複数の貫通孔を有する仕切り部材３５ｃにより塞ぐ構成も好ましい。
【００９８】
当該仕切り部材３５ｃは、絞り筒部３４に内嵌する円盤部と、当該円盤部の周縁部から立ち上がって傾斜壁に係止して円盤部を支持する係止支持部とを備え、当該円盤部には、複数の貫通孔が形成されている。かかる構成からなる仕切り部材３５ｃを通過する流水は、貫通孔の周縁との関係において表面張力が作用することとなるため、流水は絞り筒部３４の外縁部を経由することを寡少として流下することとなり、これによって、絞り筒部３４の径外方向に向けての流水の飛散の抑制が図られるのである。
【００９９】
尚、上記例では筒部２９の下端と絞り筒部３４の下端とが同じレベルに形成されているが、絞り筒部３４の下端が筒部２９の下端よりも上方にあっても良い。
【０１００】
また、絞り筒部を備えない竪樋構成部材２５においては、図２８に示す如く、筒部２９の下部により形成される吐出口３１に仕切り部材３５ｄを設ける構成を採用することも可能である。
【０１０１】
また、当該仕切り部材３５ｄにおいては、円筒状の吐出口３１を放射状に仕切る複数のフィン部を備えているが、各フィン部の下端部は、吐出口３１の外縁部から中央部に向かうにつれて下り傾斜状に形成されている。これにより、きわめて流速が遅い及び／又は流量が少ない流水であっても、仕切り部材３５ｄの下端部となる吐出口３１の中央部から流下することとなり、これによって、吐出口３１の径外方向に向けての流水の飛散はより確実に抑制されることとなるのである。
【０１０２】
上記各仕切り部材３５ａ〜３５ｄは、絞り筒部３４又は筒部２９と一体的な構成を採用することが可能である。また、図２９に示す如く、例えば仕切り部材３５ａを吐出口３１に対して着脱自在とする構成を採用することも可能である。仕切り部材３５ａをこのように構成することによって、筒部２９（絞り筒部３４）から仕切り部材３５ａを取り外して当該筒部２９及び仕切り部材３５ａをそれぞれ清掃することができ、清掃の簡便化が図られる。また、仕切り部材３５ａを竪樋構成部材２５の筒部２９に後付け可能となり、これら筒部２９と仕切り部材３５ａとを一体に形成する場合よりも製造の簡略化が図られる。
【０１０３】
尚、仕切り部材３５ｂ〜３５ｄも吐出口３１に対して取り外し可能に構成することも可能であり、このような取り外し可能に構成しておくことで、仕切り部材３５ａと同様の効果を発揮することが可能である。
【０１０４】
また、仕切り部材３５ａ、３５ｄの各フィン部の厚さやフィン部の基端部を覆う傘を設けることにより、当該仕切り部材３５ａ、３５ｄを通過して吐出口３１より吐出される流水の単位時間辺りの流量を調整することが可能となる。これによって、排水処理能を数十ｍｍ／時の降雨量とし、当該降雨量を超える雨水からなる流水を処理するときに流入口３０から当該流水を溢れることとして容量設計した竪樋構成部材２５に対し、当該仕切り部材３５ａ、３５ｄを設けることで、数ｍｍ〜十数ｍｍ／時程度の降雨量で流入口３０から流水を溢れさせることも可能となる。そして、この結果、排水桝に一度に流入する流水の流量を抑制し、当該排水桝ひいては市中の排水管への負担を減じることが可能となる。
【０１０５】
《第２の実施形態まとめ》
このように、当該第２実施形態の竪樋２１に係る竪樋構成部材２５は、上記実施形態に限らず、上下連結部２７、２８の連結構造、筒部２９の形状やブリッジ３３の数、断面形状、幅、設けられる位置等は適宜必要に応じた形状、位置、数を採用することが可能である。
【０１０６】
また、第２実施形態の竪樋２１の露出状樋部２４を上述の如く複数の竪樋構成部材２５を同軸上に連結することにより形成する構成だけでなく、１の竪樋構成部材２５により形成することももちろん可能である。
【０１０７】
《第３の実施形態》
また、図２３は、本発明に係る竪樋の第３実施形態を示している。
【０１０８】
該竪樋４１は、一対の支持樋部４３を備えると共に、これら一対の支持樋部４３が露出状樋部４４を介して連結されている。
【０１０９】
該露出状樋部４４は、１の竪樋構成部材４５により形成されており、該竪樋構成部材４５は、上連結部４７の直下に第１の筒部４９ａを備え、該筒部４９ａの直下に第１の露出部４６１を備え、該第１の露出部４６１の直下に第２の筒部４９ｂを備え、該第２の筒部４９ｂの直下に第２の露出部４６２を備え、該第２の露出部４６２の直下に下連結部４８を備えている。
【０１１０】
各筒部４９ａ、４９ｂは、上端部の流入口５０を有すると共に下端部に該流入口５０よりも口径の狭い吐出口５１を備えてなる円筒状に形成されている。また、筒部４９ａ、４９ｂの内周には、流入口５０と吐出口５１の中途部となる位置から吐出口５１に向けて中心軸の径内方向に隆起する傾斜壁５２が設けられ、該傾斜壁５２の内周面によって筒部４９ａ、４９ｂの外周壁より流入口５０側から吐出口５１側に向けての傾斜角度を急とするテーパ５２ａ面が設けられている。また、傾斜壁５２の下端部から吐出口５１に向けて絞り壁部５４が形成されている。
【０１１１】
また、露出部４６１は、第１の筒部４９ａと第２の筒部４９ｂとを連結する複数本（本実施形態においては３本）のブリッジ５３を備えると共に、各ブリッジ５３の側縁と第１の筒部４９ａの吐出口５１の下端縁及び第２の筒部４９ｂの流入口５０の開口縁により輪郭形成される露出窓４６１ａとを有している。各ブリッジ５３は、互いの間隔を等間隔として設けられると共に、三角柱状に形成されて第１の筒部４９ａの外周面の中途部から第２の筒部４９ｂの上端部に向けて延設されている。
【０１１２】
同様に、露出部４６２は、第２の筒部４９ｂと下連結部４８とを連結する複数本（本実施形態においては３本）のブリッジ５３を備えると共に、各ブリッジ５３の側縁と第２の筒部４９ａの吐出口５１の下端縁及び下連結部の上端縁により輪郭形成される露出窓４６２ａとを有している。各ブリッジ５３は、互いの間隔を等間隔として設けられると共に、三角柱状に形成されて第２の筒部４９ｂの外周面の中途部から下連結部４８に向けて延設されている。
【０１１３】
当該竪樋構成部材４５においては、竪樋４１を流れる流水の流水量が過剰な場合に当該第２の筒部４９ｂに溜まる水はやがて当該露出部４６の露出窓４６ａから溢れ出る（オーバーフロー）することとなり、当該オーバーフローした流水によって各筒部４９ａ、４９ｂの外周面やブリッジ５３に付着している汚れは洗い流されるものとなる。
【０１１４】
本実施形態においては、上記竪樋構成部材４５を複数個連結することによって竪樋４１の中途部に露出状樋部４４、即ち露出部４６を設けることも可能である。換言すると、竪樋４１は、支持樋部４３の中途部に複数の露出部４６を備えていると言える。
【０１１５】
図２４は、かかる点に鑑みた当該実施形態の変形例であり、竪樋１が複数の支持樋部４３（直管状樋部４３ａ）と複数の露出状樋部４４とを互いに交互に連結することにより構成されている。当該変形例において、建築構造物の外壁２２に設けられた窓３９に対向する位置に露出状樋部４４を設ける構成は好ましい。また、本実施形態においては、支持樋部４３が樋支持具３７を介して外壁２２に接続されているが、樋支持具３７を設けない構成であっても構わない。
【０１１６】
《第４の実施形態》
また、図２５〜図２７は、本発明に係る竪樋の露出状樋部を構成する竪樋構成部材６５の第４の実施形態を示している。
【０１１７】
該竪樋構成部材６５は、軸方向に開口せる円筒状に形成された筒部６９を有すると共に、該筒部６９の下方に露出部６６を有しており、筒部６９の上端部に上連結部６７を備えると共に露出部６６の下端部に下連結部６８を備えている。
【０１１８】
また、筒部６９の外周面には、複数（本実施形態においては３つ）の突部６７ａ、６８ａが互いの間隔を等間隔として流入口７０側となる上側と吐出口７１側となる下側とにそれぞれ設けられている。各突部６７ａ、６８ａには、当該突部形成位置における前記外周面の接線と平行に貫通孔６７ｂ、６８ｂが設けられている。
【０１１９】
露出部６６の複数本（本実施形態においては３本）のブリッジ７３は、ロッド状の本体７３ａと該本体７３ａの一方の端部に設けられて前記筒部６９の下側の突部６８ａの貫通孔６８ｂに係合可能な第１フック部７３ｂと、本体７３ａの他方の端部に設けられる第２フック部７３ｃとを備えている。該第２フック部７３ｃは、当該竪樋構成部材６５の下方に位置する竪樋構成部材６５の上側の突部６７ａの貫通孔６７ｂに係合可能に形成されており、これによって該第２フック部７３ｃにより下連結部６８が形成されると共に、筒部６９の上側の突部６７ａにより上連結部６７が形成されている。第１の筒部６９と第２の筒部６９とは、複数本（本実施形態においては３本）のブリッジ７３を介して連結されている。
【０１２０】
本実施形態においては、上下に連結される竪樋構成部材６５において、上側の竪樋構成部材６５の筒部６９と下側の竪樋構成部材６５の筒部６９は、共にブリッジ７３により３点で支持されるので、互いに相対移動不能又は略不能とされている。
【０１２１】
また、上下の連結部６７、６８、及び各筒部６９の内部に形成される傾斜壁７２及び絞り壁部７４等の構成は、上記第２実施形態と同様である。
【０１２２】
本実施形態においては、ロッド状のブリッジ７３によって包囲された空間により露出部６６が構成されるので、大きな露出窓６６ａを構成することができる。したがって、該露出部６６を流れる雨水を容易に視認することができ、この結果、容易に降水量の把握をすることができる。
【０１２３】
なお、本実施形態の変形例として、上下一対の筒部６９の間を上記ブリッジ７３により連結し、上側の筒部６９の流入口側７０に上連結部６７を設けると共に下側の筒部６９の吐出口３１側に下連結部６８を設けることにより竪樋構成部材６５を構成する場合であっても、上記実施形態と同様の作用効果を奏する。
【０１２４】
《第５の実施形態》
また、図２８、図２９は、本発明に係る竪樋の露出状樋部を構成する竪樋構成部材８５の第５の実施形態を示している。
【０１２５】
該竪樋構成部材８５は、上下連結部８７、８８を有する一対のブリッジ９３に筒部８９を支持させ、該ブリッジ９３と筒部８９により囲まれる空間に露出部８６を設けて形成されている。
【０１２６】
筒部８９は、上端部の流入口９０を有すると共に下端部に該流入口９０よりも口径の狭い吐出口９１を備えてなるすりばち状に形成されている。また、筒部８９の内周には、流入口９０と吐出口９１の中途部となる位置から吐出口９１に向けて中心軸の径内方向に隆起する傾斜壁９２が設けられ、該傾斜壁９２の内周面によって筒部８９の外周壁よりも流入口９０側から吐出口９１側に向けての傾斜角度を急とするテーパ９２ａ面が設けられている。
【０１２７】
また、該筒部８９の外周面の上端部には、筒部８９の中心軸を介して互いに対向する位置にブラケット部８８ａが突設されており、各ブラケット部８８ａにロッド状のブリッジ９３が係止されている。
【０１２８】
ブラケット部８８ａは、ブリッジ９３のロッド径と略同径の内径を有して筒部８９の中心軸に平行な溝部８８ｂを有すると共に、該ブリッジ９３のロッド径よりも僅かに小さい幅を有して当該ブラケット部８８ａを側部から溝部８８ｂに向けて切り欠いて形成される切欠き部８８ｃを有しており、該切欠き部８８ｃを通じてブリッジ９３を溝部８８ｂに向けて押し込むことにより、ブラケット部８８ａにブリッジ９３は着脱自在に軟係止され、これによってブリッジ９３は少なくとも中心軸の径外方向への移動を不能となる。
【０１２９】
また、該ブリッジ９３の各端部にはリング状の連結部９３ｂ、９３ｃが形成されている。各連結部９３ｂ、９３ｃはブラケット部８８ａの溝部８８ｂよりも大きく形成されているので、ブリッジ９３をブラケット部８８ａに取り付けた状態では連結部９３ｂ、９３ｃがブラケット部８８ａに引っ掛かることとなり、これによりブリッジ９３がブラケット部８８ａから筒部８９の軸方向に抜け落ちてしまう虞はない。
【０１３０】
また、各連結部９３ｂ、９３ｃは、それぞれ互いに係脱自在に形成されており、これによって、該連結部９３ｂ、９３ｃが上連結部８７と下連結部８８とを構成している。また、これにより、上連結部８７となるブリッジ９３の上端部９３ｂと筒部８９との間であって一対のブリッジ９３が互いに対向しあう空間が露出部８６となる。
【０１３１】
これら上下連結部８７、８８は、互いに上下方向に連続して並ぶ竪樋構成部材８５において、上側の竪樋構成部材８５の下連結部８８に下側の竪樋構成部材８５の上連結部８７を連結可能に形成されており、これによってこれら一対の竪樋構成部材８５が同軸上に連結される。
【０１３２】
また、各ブリッジ９３は、ブラケット部８８ａにより当該ブリッジ９３の中心軸に対し径外方向への移動を不能とした状態に保持され、しかも、ブラケット部８８ａが筒部８９の軸心を介して互いに対向する方向に設けられているため、当該ブリッジ９３の上下連結部９３ｂ、９３ｃを介して同軸上に連結される竪樋構成部材８５は、少なくともこれら一対のブラケット部８８ａを結ぶ直線方向への移動を不能とされることとなる。
【０１３３】
したがって、当該竪樋構成部材８５により形成される露出状樋部８４は、当該直線方向に建築構造物の外壁や通路が位置する状態に配備されることにより、風等により振れることとなっても当該外壁や通路に向けては振れることはなく、これによって外壁への竪樋構成部材８５の衝突や通路を通過する人への竪樋構成部材８５の衝突が防止され、これによって竪樋構成部材８５が外壁に衝突することによる騒音の発生や人に衝突することによる不測の事故を防止することができる。
【０１３４】
《全体まとめ》
以上、本発明を実施した形態を詳述したが、本発明は上記の実施形態に限定されるものではない。
【０１３５】
例えば、長尺な円筒状部材の一又は数箇所に露出窓２６を設け、当該露出窓２６及びその周囲を建築構造物に非支持として露出状樋部２４を形成し、他の部分を建築構造物に支持させることで支持樋部２３とすることにより、支持樋部２３と露出状樋部２４とを一体として竪樋２１を形成する場合であっても、本実施形態と同様の作用効果を奏する。
【図面の簡単な説明】
【０１３６】
【図１】本発明の実施の形態の例の竪樋であり、（ａ）は側面図であり、（ｂ）は（ａ）のＡ部の断面図である。
【図２】同上の鎖樋部を構成する鎖ピース部材であり、（ａ）は側面図であり、（ｂ）は上面図であり、（ｃ）は（ａ）のＢ−Ｂ線断面図である。
【図３】本発明の実施の形態の他例の竪樋であり、（ａ）は鎖樋部を構成する鎖ピース部材の側断面図であり、（ｂ）は鎖樋部の要部の側断面図である。
【図４】本発明に係る第２実施形態の竪樋及び建築構造物の側面図である。
【図５】該竪樋の竪樋構成部材の斜視図である。
【図６】（ａ）は該竪樋構成部材の正面図、（ｂ）は該竪樋構成部材の側面図、（ｃ）は該竪樋構成部材の平面図、（ｄ）は該竪樋構成部材の断面図、（ｅ）は該竪樋構成部材の底面図である。
【図７】竪樋構成部材を複数個接続させた断面図である。
【図８】該竪樋構成部材の他の例の断面図である。
【図９】該竪樋構成部材の連結状態を示す断面図である。
【図１０】該竪樋を他の建築構造物に用いた側面図である。
【図１１】該竪樋をさらに他の建築構造物に用いた側面図である。
【図１２】該竪樋部材の露出状樋部の他の例の正面図である。
【図１３】本発明に係る第２実施形態の竪樋の竪樋構成部材の第１の変形例の斜視図である。
【図１４】（ａ）は該竪樋構成部材の正面図、（ｂ）は該竪樋構成部材の側面図、（ｃ）は該竪樋構成部材の平面図、（ｄ）は該竪樋構成部材の断面図、（ｅ）は該竪樋構成部材の底面図である。
【図１５】本発明に係る第２実施形態の竪樋の竪樋構成部材の第２の変形例の斜視図である。
【図１６】（ａ）は該竪樋構成部材の正面図、（ｂ）は該竪樋構成部材の側面図、（ｃ）は該竪樋構成部材の平面図、（ｄ）は該竪樋構成部材の断面図、（ｅ）は該竪樋構成部材の底面図である。
【図１７】本発明に係る第２実施形態の竪樋の竪樋構成部材の第３の変形例の斜視図である。
【図１８】（ａ）は該竪樋構成部材の正面図、（ｂ）は該竪樋構成部材の側面図、（ｃ）は該竪樋構成部材の平面図、（ｄ）は該竪樋構成部材の断面図、（ｅ）は該竪樋構成部材の底面図である。
【図１９】本発明に係る第２実施形態の竪樋の竪樋構成部材の第４の変形例の斜視図である。
【図２０】（ａ）は該竪樋構成部材の正面図、（ｂ）は該竪樋構成部材の平面図、（ｃ）は該竪樋構成部材の断面図、（ｄ）は該竪樋構成部材の底面図である。
【図２１】本発明に係る第２実施形態の竪樋の竪樋構成部材の第５の変形例の斜視図である。
【図２２】（ａ）は該竪樋構成部材の正面図、（ｂ）は該竪樋構成部材の側面図、（ｃ）は該竪樋構成部材の平面図、（ｄ）は該竪樋構成部材の断面図、（ｅ）は該竪樋構成部材の底面図である。
【図２３】本発明に係る第２実施形態の竪樋の竪樋構成部材の第６の変形例であり、（ａ）は該竪樋構成部材の平面図、（ｂ）は該竪樋構成部材の断面図である。
【図２４】流下する雨水が絞り筒部の縁部よりも径外方向に飛散する状態を説明する図である。
【図２５】流下する雨水が仕切り部材との関係において吐出口の外縁よりも外方に飛散することのない状態を説明する図である。
【図２６】本発明に係る第２実施形態の竪樋の竪樋構成部材の第６の変形例であって、仕切り部材の変形例であり、（ａ）は該竪樋構成部材の平面図、（ｂ）は該竪樋構成部材の断面図である。
【図２７】本発明に係る第２実施形態の竪樋の竪樋構成部材の第６の変形例であって、仕切り部材の変形例であり、（ａ）は該竪樋構成部材の平面図、（ｂ）は該竪樋構成部材の断面図である。
【図２８】本発明に係る第２実施形態の竪樋の竪樋構成部材の第６の変形例であって、仕切り部材の変形例であり、（ａ）は該竪樋構成部材の平面図、（ｂ）は該竪樋構成部材の断面図である。
【図２９】本発明に係る第２実施形態の竪樋の竪樋構成部材の第６の変形例であって、仕切り部材の着脱を説明する図である。
【図３０】（ａ）は本発明に係る第３実施形態の竪樋の竪樋構成部材の右側面図、（ｂ）は該竪樋構成部材の左側面図、（ｃ）は該竪樋構成部材の平面図、（ｄ）は該竪樋構成部材の断面図である。
【図３１】本発明に係る第３実施形態の竪樋の変形例の側面図である。
【図３２】本発明に係る第４実施形態の竪樋の竪樋構成部材の斜視図である。
【図３３】（ａ）は該竪樋構成部材の正面図、（ｂ）は該竪樋構成部材の側面図、（ｃ）は該竪樋構成部材の平面図、（ｄ）は該竪樋構成部材の断面図である。
【図３４】該竪樋構成部材を複数個連結した正面図である。
【図３５】本発明に係る第５実施形態の竪樋の竪樋構成部材の斜視図である。
【図３６】（ａ）は該竪樋構成部材の正面図、（ｂ）は該竪樋構成部材の側面図、（ｃ）は該竪樋構成部材の平面図、（ｄ）は一対の該竪樋構成部材を連結した状態を示す断面図である。
【符号の説明】
【０１３７】
１  竪樋
２  建物壁
３  直管状樋部
４  鎖樋部
５  鎖ピース部材
６  窓部
７  上部嵌め込み筒部
８  下部嵌め込み筒部
１４  絞り部
２１  竪樋
２２  外壁
２３  支持樋部
２３ａ  直管状樋部
２３ｂ  エルボ部
２３ｂ１  胴部
２３ｂ２  屈曲端部
２４  露出状樋部
２５  竪樋構成部材
２６  露出部
２６ａ  露出窓
２７  上連結部
２７ａ  環状部
２７ｂ  雌ねじ部
２７ｃ  導入溝
２７ｄ  係止凹部
２７ｅ  雄ねじ部
２８  下連結部
２８ａ  下環状部
２８ｂ  雌ねじ部
２８ｃ  係止爪部
２８ｅ  雌ねじ部
２９  筒部
３０  流入口
３１  吐出口
３２  傾斜壁
３２ａ  テーパ面
３３  ブリッジ
３４  絞り筒部
３５ａ〜３５ｄ  仕切り部材
３６  排水管カバー
３７  樋支持具
３８  桝
４１  竪樋
４３  支持樋部
４４  露出状樋部
４５  竪樋構成部材
４６  露出部
４６ａ  露出窓
４７  上連結部
４８  下連結部
４９ａ  第１の筒部
４９ｂ  第２の筒部
５０  流入口
５１  吐出口
５２  傾斜壁
５２ａ  テーパ
５３  ブリッジ
５４  絞り壁部
６５  竪樋構成部材
６６  露出部
６６ａ  露出窓
６７  上連結部
６８  下連結部
６７ａ、６８ａ  突部
６７ｂ、６８ｂ  貫通孔
６９  筒部
７２  傾斜壁
７３  ブリッジ
７３ａ  本体
７３ｂ  第１フック部
７３ｃ  第２フック部
７４  絞り壁部
８５  竪樋構成部材
８７  上連結部
８８  下連結部
８８ａ  ブラケット部
８８ｂ  溝部
８８ｃ  切欠き部
８９  筒部
８６  露出部
８６ａ  露出窓
９０  流入口
９１  吐出口
９２  傾斜壁
９２ａ  テーパ
９３  ブリッジ
９３ｂ、９３ｃ  連結部
【図１】
0005636157.tif 000002
【図２】
0005636157.tif 000003
【図３】
0005636157.tif 000004
【図４】
0005636157.tif 000005
【図５】
0005636157.tif 000006
【図６】
0005636157.tif 000007
【図７】
0005636157.tif 000008
【図８】
0005636157.tif 000009
【図９】
0005636157.tif 000010
【図１０】
0005636157.tif 000011
【図１１】
0005636157.tif 000012
【図１２】
0005636157.tif 000013
【図１３】
0005636157.tif 000014
【図１４】
0005636157.tif 000015
【図１５】
0005636157.tif 000016
【図１６】
0005636157.tif 000017
【図１７】
0005636157.tif 000018
【図１８】
0005636157.tif 000019
【図１９】
0005636157.tif 000020
【図２０】
0005636157.tif 000021
【図２１】
0005636157.tif 000022
【図２２】
0005636157.tif 000023
【図２３】
0005636157.tif 000024
【図２４】
0005636157.tif 000025
【図２５】
0005636157.tif 000026
【図２６】
0005636157.tif 000027
【図２７】
0005636157.tif 000028
【図２８】
0005636157.tif 000029
【図２９】
0005636157.tif 000030
【図３０】
0005636157.tif 000031
【図３１】
0005636157.tif 000032
【図３２】
0005636157.tif 000033
【図３３】
0005636157.tif 000034
【図３４】
0005636157.tif 000035
【図３５】
0005636157.tif 000036
【図３６】
0005636157.tif 000037